(57)【要約】  【課題】  放射線ホルミシス効果を、ペットや家畜などに及ぼすことのできる動物舎を提供する。  【解決手段】  動物舎１の周壁５は、プラスチック製のベース層１０と、その外面に貼り付けられた外壁紙層１１と、内面に貼り付けられた内壁紙層１２とを有する。内壁紙層１２は、基材となる布の一面に、低放射線照射物質をコーティングしたものである。低放射線照射物質としては、ラドンを放射するラジウム鉱石が含まれる花崗岩を粉砕したラジウム鉱石粉末を使用できる。さらに、内壁紙層１２には、タイル状の低放射線放射部材１５が取り付けられている。内壁紙層１２とタイル状低放射線放射部材１５とから舎内の動物に低放射線ホルミシス効果を及ぼすことができる。【選択図】  図１
2010081828.tif 000002
【特許請求の範囲】
【請求項１】
天井及び／又は壁に低放射線放射部材が取り付けられており、
舎内の動物にホルミシス効果を及ぼすことを特徴とする低放射線ホルミシス動物舎。
【請求項２】
前記天井及び／又は壁に、低放射線放射部材がコーティングされた壁紙が貼られていることを特徴とする請求項１に記載の低放射線ホルミシス動物舎。
【請求項３】
前記壁紙が、低放射線照射物質を基材となる布にスクリーン印刷したものであることを特徴とする請求項２に記載の低放射線ホルミシス動物舎。
【請求項４】
前記天井及び／又は壁に、低温で焼成されたタイル状の低放射線放射部材が貼られていることを特徴とする請求項１、２又は３に記載の低放射線ホルミシス動物舎。
【請求項５】
前記低放射線放射部材が、１ｇ当り１ベクレル以上の低放射線放射花崗岩の粉末を２ｍｇ／ｃｍ２以上含有することを特徴とする請求項１〜４のいずれか１項に記載の低放射線ホルミシス動物舎。
【発明の詳細な説明】
【技術分野】
【０００１】
本発明は、犬や猫などのペット小屋や、競争場の畜舎などの動物舎に関する。特には、低放射線ホルミシス効果を動物にも及ぼすようにした動物舎に関する。
【背景技術】
【０００２】
ホルミシス効果とは、生物に対して通常有害な作用を示すものが、微量であれば逆に良い作用を示す生理的刺激作用をいう。特に放射線ホルミシス効果とは、高線量では有害な放射線が、低線量の放射線が生物の成長・発育の促進、繁殖力の増進及び寿命の延長などの有益な効果をもたらすこともあるという効果をいう（例えば、非特許文献１参照）。このような放射線ホルミシス効果を利用した空間施設やサウナ装置は数多く提案されている（例えば、特許文献１参照）。この特許文献１には、ウラン鉱石を粉砕したものを所定の形状にプレスした後乾燥させたラドン放射体が取り付けられたサウナ装置が記載されている。さらに、最近の医学では、前立腺ガン治療に、低放射線治療として低放射線カプセルを患部の近くに埋め込む方法もとられている。
【非特許文献１】「医師がすすめる低放射線ホルミシス驚異のラドン浴療法」放射線ホルミシス臨床研究会編（株式会社ローカス）
【特許文献１】特開２００８−２３３０３
【発明の開示】
【発明が解決しようとする課題】
【０００３】
このように、放射線ホルミシス効果を人間に及ぼす施設や装置の提案は数多くなされているが、この効果をペットや家畜などの動物に及ぼすための具体的提案は見当たらない。そこで、本発明は、前述の放射線ホルミシス効果を、ペットや家畜などに及ぼすことのできる動物舎を提供することを目的とする。
【課題を解決するための手段】
【０００４】
本発明の動物舎は、  天井及び／又は壁に低放射線放射部材が取り付けられており、  舎内の動物にホルミシス効果を及ぼすことを特徴とする。
【０００５】
本発明によれば、低放射線ホルミシス効果を舎内の動物に及ぼすことができるので、動物の健康状況改善やストレスの緩和などの効果を期待できる。
【０００６】
本発明の動物舎は、  前記天井及び／又は壁に、低放射線放射部材がコーティングされた壁紙が貼られていることとできる。
【０００７】
低放射線放射部材をコーティングした壁紙を使用することにより、低放射線放射部材の取り扱いが容易になり、比較的簡単に動物舎に取り付けることができる。
【０００８】
本発明においては、  前記壁紙が、低放射線照射物質を基材となる布にスクリーン印刷したものであることとすれば、比較的簡単な手段で低放射線放射部材をコーティングできる。
【０００９】
本発明の動物舎は、  前記天井及び／又は壁に、低温で焼成されたタイル状の低放射線放射部材を貼り付けてもよい。
【００１０】
タイル状の低放射線放射部材は、例えば、ウラン鉱石あるいは後述する低放射線放射花崗岩の粉末を粘土と混錬した後に成形して、低温で焼成することにより作製できる。タイル状とすることによっても、低放射線放射部材の取り扱いが容易になる。タイル状のものを取り付ける際は、例えば、タイルが嵌め込まれる枠状の取付部材を使用して、所望の位置に固定することができる。
【００１１】
本発明においては、  前記低放射線放射部材が、１ｇ当り１ベクレル以上の低放射線放射花崗岩の粉末を２ｍｇ／ｃｍ２以上含有することが好ましい。
【発明の効果】
【００１２】
以上の説明から明らかなように、本発明によれば、健康やストレスの緩和に有益とされる低放射線ホルミシス効果を動物に及ぼすことのできる動物舎を提供できる。
【発明を実施するための形態】
【００１３】
以下、本発明の実施の形態について、図面を参照しながら詳細に説明する。
図１は、本発明の実施の形態に係る犬小屋を説明する図であり、図１（Ａ）は斜視図、図１（Ｂ）は断面図である。
この例の犬小屋１は、床板３と、正面形状が半円形の周壁５及び前後壁７、８からなり、前壁には出入り口が開けられている。
【００１４】
周壁５及び前後の壁７、８（図１（Ｂ）には周壁５のみを示す）は三層構造であり、中央のプラスチック製のベース層１０と、その外面に貼り付けられた外壁紙層１１と、内面に貼り付けられた内壁紙層１２とを有する。外壁紙層１１は、この例では、市販されている木目が印刷された壁紙などを使用できる。
【００１５】
内壁紙層１２は、基材となる布の一面に、低放射線照射物質をコーティングしたものである。低放射線照射物質としては、例えば、前述の特許文献１に記載されている、ラドンを放射するラジウム鉱石が含まれる花崗岩を粉砕したラジウム鉱石粉末を使用できる。一例として、ラジウム鉱石粉末の粒径は１〜２０μｍ、舎内のラドン濃度は５０〜２００ベクレル／ｍ３／ｈｒが好ましい。コーティング方法としては、例えば、スクリーン印刷を適用できる。この場合、前述のラドン鉱石粉末を印刷用インクに混合し、このインクをスクリーン印刷により布の一面に印刷する。インク中のラドン鉱石粉末の濃度は０．０６〜０．１ｇ／ｃｍ３であることが好ましい。
【００１６】
さらに、周壁５の内面の両側には、タイル状の低放射線照射部材１５が取り付けられている。低放射線照射部材１５としては、例えば、前述のラジウム鉱石粉末に粘土と水を加えて混練した後、所定の形状（この例では、縦横１０ｃｍ、厚さ１ｃｍ）の型に入れてプレス成形した後、低温（例えば、５００〜７００℃）で焼成した焼結体を使用できる。ラドン鉱石粉末の濃度は０．２〜０．５ｇ／ｃｍ３であることが好ましい。
【００１７】
このタイル状低放射線放射部材１５は、両側壁（内壁紙層１２）に当てられて、内壁紙層として使用した壁紙１２´で同側壁に取り付けられている。タイル状低放射線放射部材１５は、各側壁に、前後方向に並んで複数個（例えば、２〜６個）取り付けられている。
【００１８】
図２は、本発明の他の実施の形態に係る犬小屋を説明する図であり、図２（Ａ）は斜視図、図２（Ｂ）は断面図である。
この例の犬小屋２１は、床板２３と、左右の側壁２４、２５と、後壁２６、天井２７とからなり、前面が開口した直方体状のものである。前面には、扉２９が開閉可能に取り付けられている。扉２９は、上端部で手前側に開くように回動した後、奥方向にスライドさせることにより小屋２１内に収納される。
【００１９】
床板２３、左右側壁２４、２５、後壁２６及び天井２７は、一般的なプラスチック板を使用して作製される。天井の下面には、図２（Ｂ）に示すように、前述の例で使用した、タイル状の低放射線放射部材１５が取り付けられている。タイル状低放射線部材１５は、前後方向に４個並んで、枠状の取付部材３０に嵌め込まれている。そして、この取付部材３０を、天井２７にビス３１などで固定することにより、天井２７に取り付けられる。この例では、合計で１２個のタイル状低放射線放射部材１５が、３個の取付部材３０で取り付けられている。
【００２０】
以上の例では犬小屋について説明したが、他に家畜舎や厩舎においては、例えば、前述のタイル状低放射線照射部材１５を、畜舎や厩舎の壁や天井に取り付けることにより、家畜や馬に、低放射線ホルミシス効果を及ぼすことができる。
【実施例】
【００２１】
図１で説明した犬小屋における実施例を説明する。
まず、内壁紙層を形成する壁紙を説明する。ラジウムを含む花崗岩を粉砕して得たラジウム鉱石粉末（径：１〜２０μｍ、ラドン濃度：５０〜１００ベクレル／ｍ３／ｈｒ）を準備し、インク（水生アクリル、株式会社松井色素製）に３０重量％で混合して、ラジウム鉱石粉末含有インクを作製した。このインクを、スクリーン印刷機（オートスクリーン（商品名）、株式会社昭和機械製）を用いて、市販の壁紙（織編物）に塗布して乾燥させ、壁紙を作製した。この壁紙を、市販のプラスチック板で作製したベース層の内側に貼り付けて内壁紙層を形成した。
【００２２】
次に、タイル状低放射線放射部材について説明する。
前述と同じラジウム鉱石粉末（径：３０〜６０μｍ、ラドン濃度：１００〜３００ベクレル／ｍ３／ｈｒ）１００ｇに、粘土３００ｇと水１０ｇを混合し、十分に混煉した。この粘土状材料を、縦横１０ｃｍ、厚さ１ｃｍの型に入れて成形し、自然乾燥させた。その後、炉に入れ、５００〜７００℃の温度で１４時間焼成し、放冷して、タイル状の低放射線放射部材を作製した。このタイル状低放射線放射部材を、前述の壁紙を用いて側壁に取り付けた。
【図面の簡単な説明】
【００２３】
【図１】本発明の実施の形態に係る犬小屋を説明する図であり、図１（Ａ）は斜視図、図１（Ｂ）は断面図である。
【図２】本発明の他の実施の形態に係る犬小屋を説明する図であり、図２（Ａ）は斜視図、図２（Ｂ）は断面図である。
【符号の説明】
【００２４】
１  犬小屋                              ３  床板
５  周壁                                ７  前壁
８  後壁                              １０  ベース層
１１  外壁紙層                          １２  内壁紙層
１５  タイル状低放射線放射部材
２１  犬小屋                            ２３  床板
２４、２５  側壁                        ２６  後壁
２７  天井                              ２９  扉
３０  取付部材                          ３１  ビス
【図１】
2010081828.tif 000003
【図２】
2010081828.tif 000004